(57)【要約】【課題】背面に投影されるスクリーンパネルにおいて、視野角を広く保ち視認性に優れたスクリーンパネルおよび投影表示装置を提供すること。【解決手段】画像表示用の投射光を背面で受光する透明平板１１と、透明平板１１から透過した投射光を拡散させて画像を表示するスクリーン部材１２とを備え、スクリーン部材１２が、透明平板１１の前面と接触する面に投射光を拡散させる凹凸形状を有し、透明平板１１の前面を覆うように接触しており、透明平板１１とスクリーン部材１２とを固定させるための固定箇所が、画像の投影範囲外に設けられているように構成する。【選択図】図４
2009223185.tif 000002
【特許請求の範囲】
【請求項１】
画像表示用の投射光を背面で受光する透明平板と、
前記透明平板から透過した投射光を拡散させて画像を表示するスクリーン部材とを備え、
前記スクリーン部材が、前記透明平板の前面と接触する面に前記投射光を拡散させる凹凸形状を有し、前記透明平板の前面を覆うように接触しており、
前記透明平板と前記スクリーン部材とを固定させるための固定箇所が、前記画像の投影範囲外に設けられていることを特徴とするスクリーンパネル。
【請求項２】
前記スクリーン部材を保護する保護部材を備え、
前記保護部材が、前記スクリーン部材を覆うように接触しており、
前記保護部材と前記スクリーン部材とを固定させるための固定箇所が、前記画像の投影範囲外に設けられていることを特徴とする請求項１に記載のスクリーンパネル。
【請求項３】
前記固定箇所が、前記透明平板の側面側にあることを特徴とする請求項１または請求項２に記載のスクリーンパネル。
【請求項４】
前記保護部材および前記スクリーン部材と前記透明平板とが前記固定箇所においてネジ止めで固定されていることを特徴とする請求項２に記載のスクリーンパネル。
【請求項５】
前記スクリーン部材と前記透明平板とが接着剤で固定される固定箇所が前記透明平板の前面にあり、前記保護部材と前記スクリーン部材とが接着剤で固定される固定箇所が前記透明平板の側面にあることを特徴とする請求項２に記載のスクリーンパネル。
【請求項６】
前記スクリーン部材に、前記透明平板からはみ出す突起部、または前記透明平板の端に非接着部を設けたことを特徴とする請求項１に記載のスクリーンパネル。
【請求項７】
前記保護部材に、前記透明平板からはみ出す突起部、または前記透明平板の端に非接着部を設けたことを特徴とする請求項２に記載のスクリーンパネル。
【請求項８】
前記保護部材と前記スクリーン部材とが固定される固定力は、前記スクリーン部材と前記透明平板とが固定される固定力よりも弱いことを特徴とする請求項２に記載のスクリーンパネル。
【請求項９】
前記保護部材と前記スクリーン部材とが接着剤で固定される接着力は、前記スクリーン部材と前記透明平板とが接着剤で固定される接着力よりも弱いことを特徴とする請求項８に記載のスクリーンパネル。
【請求項１０】
前記透明平板の前面と平行方向に前記スクリーン部材を引っ張る張力付加部を備えたことを特徴とする請求項１に記載のスクリーンパネル。
【請求項１１】
前記透明平板の前面と平行方向に前記保護部材を引っ張る張力付加部を備えたことを特徴とする請求項２または請求項１０に記載のスクリーンパネル。
【請求項１２】
前記スクリーンパネルを所定位置に保持するスクリーンパネル保持装置であって、スクリーンパネルの保持力の少なくとも一部が、前記透明平板と、前記スクリーン部材または保護部材の位置ずれ防止に作用することを特徴とするスクリーンパネル保持装置。
【請求項１３】
前記スクリーンパネルの前面の中心が凸になるように前記透明平板と前記スクリーン部材および前記保護部材とを受け止める受け部材を備えたことを特徴とするスクリーンパネル保持装置。
【請求項１４】
画像表示用の投射光を背面で受光する透明平板と、
前記透明平板から透過した投射光を拡散させて画像を表示するスクリーン部材と、
前記スクリーン部材を保護する保護部材を備え、
前記スクリーン部材が、前記透明平板の前面と接触する面に前記投射光を拡散させる凹凸形状を有し、前記透明平板の前面と接着されて固定されており、
前記保護部材と前記スクリーン部材とを固定させるための固定箇所が、前記画像の投影範囲外に設けられていることを特徴とするスクリーンパネル。
【請求項１５】
請求項１から請求項１４までの何れかに記載のスクリーンパネルと、
前記画像表示用の投射光を前記透明平板の背面に投射する投射部とを備えたことを特徴とする投影表示装置。
【発明の詳細な説明】
【技術分野】
【０００１】
本発明は、投影により画像を表示するためのスクリーンパネルおよびスクリーンパネルを備えた投影表示装置に関する。
【背景技術】
【０００２】
従来、この種の投影表示装置としては、所定の投影画像を形成する投影面および書き込まれる書き込み面を有する透明な部材よりなるスクリーンパネルと、投影面に投影画像を表示する投影手段と、投影面に形成された所定の投影画像と書き込み面に書き込まれた書込み画像とを撮像可能な撮像手段とを備え、撮像手段は、撮像の指示を受けて書き込み面に書き込まれた書込み画像を撮像し、投影面と書き込み面は互いに密着されて配置され、投影手段と撮像手段は、筐体の内部に配置されたものが知られている（例えば、特許文献１参照）。
【０００３】
ところで、スクリーンパネルを有するプロジェクションシステムとしては、コンピュータから出力される映像を投影手段を介してスクリーンパネルに表示させ、カメラでスクリーンパネルに書き込まれた画像を認識したり、スクリーンパネルに接触した指などを検出してデータの読み出しなどを行うものが知られている。スクリーンパネルの書き込み面に対して光をユーザの背後から投影するフロントプロジェクションでは、ユーザが書き込み面に書き込もうとすると、書き込み面にユーザの影ができ、画像認識が正常に機能しないことがあるため、書き込み面（前面）の反対の面である背面から光を投影するリアプロジェクションが多く採用されている。
【０００４】
（フレネルレンズ、レンチキュラレンズ使用の制約）
プロジェクションシステムでは、一般にスクリーンパネルの視野角を広くすることが求められており、フレネルレンズとレンチキュラレンズを採用することで、投影光の損失を減らせば、視野角を確保することができる。ただし、フレネルレンズとレンチキュラレンズが採用された場合では、プロジェクションシステムは、プロジェクタの入射角特性に応じたフレネルレンズを選択しなければならないので、特定機種専用のスクリーンパネルを用いることになってしまう。また、投影範囲以上の大きさのフレネルレンズ、レンチキュラレンズを用意せねばならず、これらのレンズパネルを大画面にわたって歩留まり高く製造することは困難であり、コスト面でも課題が生じる。そして、フレネルレンズとレンチキュラレンズを採用したリアプロジェクションシステムは、スクリーンパネルの背面から、ポインタの軌跡などをカメラで撮り込むため、フレネルレンズと共に撮影の光学系を構成しなくてはならないので汎用的な撮像系を使えない。フレネルレンズやレンチキュラレンズを使わずに、広い視野角を得られるようにするには、透明平板やフィルムに塗布する拡散粒子や、拡散粒子を定着させるための接着剤などを工夫する必要がある。
【０００５】
（透明平板への拡散粒子塗布の制約）
透明平板に拡散粒子を塗布する場合では、柔軟性があって曲げられたりしても塗布したものが脱落しないようにしなければならないなどの制約があるフィルムに、拡散粒子を塗布する場合と比べて、定着強度が弱くて済むために所望の光学的特性を出しやすい。しかし、透明平板に拡散粒子を塗布する場合では必要に応じて透明平板を簡単に切ることができない。透明平板に拡散粒子を塗布する工程は、フィルムのように巻き取りながら加工することができないので、大きな設備を必要とし、製造コストが掛かってしまう。従って、透明平板に拡散粒子を塗布する場合より、フィルム状のスクリーン部材を透明平板に取り付ける場合のほうが、製造コストが安く済む場合が多い。
【０００６】
（スクリーン部材を透明平板の書き込み面に設ける理由）
ユーザに近い透明平板の面（前面＝書き込み面）の反対面（背面）にスクリーン部材を（プロジェクタに近い側に）取り付けることも考えられるが、前面と背面の間隔が空きすぎると、ユーザが、投影された画像に応じて書き込みを行う際に、表示画像から浮いた面に書き込みをすることになり、違和感が生じる。また見る方向により、投影画像と書き込み画像の位置ずれが生じる。スクリーン部材越しに、書き込みを撮影する場合に、書き込み像とスクリーンの間隔が空いていると、カメラは書き込んだ画像を撮影することができない。これは、トレーシングペーパーと写し取る対象とが密着されていれば、裏側が透けて見えるので正確に写し取ることができるが、トレーシングペーパーと写し取る対象との間隔が空いていると、写し取る対象が見えなくなってしまう現象と同じである。従って、フィルム上のスクリーン部材を透明平板に取り付ける場合には、透明平板の書き込み面にスクリーン部材を取り付ける必要がある。
【０００７】
【特許文献１】特許第４０３７１２８号明細書
【発明の開示】
【発明が解決しようとする課題】
【０００８】
（スクリーン部材の全面接着の問題）
従来の投影表示装置は、矩形型で板状のスクリーンパネルを有しており、従来のスクリーンパネルの断面図を図２４（Ａ）に示している。図２４（Ｂ）は、図２４（Ａ）の○の中の拡大図である。図２４のスクリーンパネルは、透明平板１１がフィルム状のスクリーン部材１２に覆われている。表面に微小な凹凸があるスクリーン部材１２を透明平板１１の表面に取り付ける場合、フィルム状のスクリーン部材１２を固定するために、接着剤１６でスクリーン部材１２と透明平板１１との間が全面で接着されている。ここで、従来のスクリーンパネルにおいて光が拡散するケースとしては、図２５に示すように、スクリーンパネルに入射した光がスクリーン部材１２の内部にある拡散粒子や気泡によって拡散する内部拡散と、スクリーン部材１２の表面の凹凸によって入射した光が拡散する外部拡散とがある。
【０００９】
スクリーン部材１２の表面に凹凸の荒らし面が有ることで外部拡散して画像が良好に投影されるが、図２４（Ｂ）に示したように、スクリーン部材１２の表面の微小な凹凸に接着剤１６が入り込むことで、凹凸の部分での外部拡散が行われないかまたはとても小さくなってしまい光学的特性が変化するため、外部拡散するスクリーン部材１２の全面または投影範囲で接着されると、視野角が狭くなってしまうという課題が残されていた。これは、すりガラスの荒らし面が濡れると光の透過特性が変わるのと同じ現象である。
【００１０】
本発明は、上述した課題を解決するためになされたものであり、背面に投影されるスクリーンパネルにおいて、視野角を広く保ち視認性に優れたスクリーンパネルおよび投影表示装置を提供することを目的とする。
【課題を解決するための手段】
【００１１】
本発明のスクリーンパネルは、画像表示用の投射光を背面で受光する透明平板と、前記透明平板から透過した投射光を拡散させて画像を表示するスクリーン部材とを備え、前記スクリーン部材が、前記透明平板の前面と接触する面に前記投射光を拡散させる凹凸形状を有し、前記透明平板の前面を覆うように接触しており、前記透明平板と前記スクリーン部材とを固定させるための固定箇所が、前記画像の投影範囲外に設けられている構成を有している。
この構成により、透明平板とスクリーン部材とを固定させるための固定箇所が画像の投影範囲外に設けられているため、投射光を拡散させるスクリーン部材の凹凸形状による光学的特性が損なわれず、スクリーン部材と透明平板の前面と接触する全面に接着剤で固定したものと比較すれば、視野角を広く保ち視認性に優れたものになる。
【００１２】
また、本発明のスクリーンパネルは、前記スクリーン部材を保護する保護部材を備え、前記保護部材が、前記スクリーン部材を覆うように接触しており、前記保護部材と前記スクリーン部材とを固定させるための固定箇所が、前記画像の投影範囲外に設けられている構成を有している。
この構成により、保護部材とスクリーン部材とを固定させるための固定箇所が画像の投影範囲外に設けられているため、投射光を拡散させるスクリーン部材の凹凸形状による光学的特性が損なわれず、視野角を狭めずにスクリーン部材の汚れや傷を防ぐことができる。
【００１３】
また、本発明のスクリーンパネルは、前記固定箇所が、前記透明平板の側面側にある構成を有している。
この構成により、固定箇所が透明平板の側面側にあるため、投影範囲を大きくできる。また、固定箇所が透明平板の前面にある場合と比較して固定範囲を広くすることができるので、スクリーン部材や保護部材の固定がより確実になる。
【００１４】
また、本発明のスクリーンパネルは、前記保護部材および前記スクリーン部材と前記透明平板とが前記固定箇所においてネジ止めで固定されている構成を有している。
この構成により、保護部材およびスクリーン部材と透明平板とが固定箇所においてネジ止めで固定されているため、保護部材およびスクリーン部材に傷や汚れが生じたときに、保護部材およびスクリーン部材を容易に交換できる。
【００１５】
また、本発明のスクリーンパネルは、前記スクリーン部材と前記透明平板とが接着剤で固定される固定箇所が前記透明平板の前面にあり、前記保護部材と前記スクリーン部材とが接着剤で固定される固定箇所が前記透明平板の側面にある構成を有している。
この構成により、スクリーン部材と透明平板とが接着剤で固定される固定箇所が透明平板の前面にあり、保護部材とスクリーン部材とが接着剤で固定される固定箇所が透明平板の側面にあるため、保護部材を剥がそうとする力が、スクリーン部材を剥がそうとする力として伝わらないので、保護部材だけを剥がしたいときに連動してスクリーン部材が剥がれてしまう可能性が小さくなる。
【００１６】
また、本発明のスクリーンパネルは、前記スクリーン部材が、前記透明平板から出っ張った突起した突起部または前記透明平板の端に非接着部を設けた構成を有している。
この構成により、突起部を掴んでスクリーン部材を容易に交換することができる。
【００１７】
また、本発明のスクリーンパネルは、前記保護部材が、前記スクリーン部材から出っ張った突起部または前記透明平板の端に非接着部を設けた構成を有している。
この構成により、突起部を掴んで保護部材を容易に交換することができる。
【００１８】
また、本発明のスクリーンパネルは、前記保護部材と前記スクリーン部材とが固定される固定力は、前記スクリーン部材と前記透明平板とが固定される固定力よりも弱い構成を有している。
この構成により、保護部材とスクリーン部材とが固定される固定力は、スクリーン部材と透明平板とが固定される固定力よりも弱いため、保護部材だけを容易に剥がせるため、交換作業が容易になる。
【００１９】
また、本発明のスクリーンパネルは、前記保護部材と前記スクリーン部材とが接着剤で固定される接着力は、前記スクリーン部材と前記透明平板とが接着剤で固定される接着力よりも弱い構成を有している。
この構成により、保護部材だけを容易に剥がせるため、交換作業が容易になる。
【００２０】
また、本発明のスクリーンパネルは、前記透明平板の前面と平行方向に前記スクリーン部材を引っ張る張力付加部を備えた構成を有している。
この構成により、透明平板の前面と平行方向にスクリーン部材を引っ張ることで、湿度や温度の影響でスクリーン部材が弛んだり皺になることを防ぐことができる。
【００２１】
また、本発明のスクリーンパネルは、前記透明平板の前面と平行方向に前記保護部材を引っ張る張力付加部を備えた構成を有している。
この構成により、透明平板の前面と平行方向に保護部材を引っ張ることで、湿度や温度の影響で保護部材が弛んだり皺になることを防ぐことができる。
【００２２】
本発明のスクリーンパネル保持装置は、前記スクリーンパネルを所定位置に保持するスクリーンパネル保持装置であって、スクリーンパネルの保持力の少なくとも一部が、前記透明平板と、前記スクリーン部材または保護部材の位置ずれ防止に作用する構成を有している。
この構成により、スクリーン枠が透明平板とスクリーン部材および保護部材とを固定するため、簡単な固定で済むため、保護部材やスクリーン部材を透明基板から剥がしやすくなり、交換が容易になる。
【００２３】
また、本発明のスクリーンパネル保持装置は、前記スクリーンパネルの前面の中心が凸になるように前記透明平板と前記スクリーン部材および前記保護部材とを受け止める受け部材を備えた構成を有している。
この構成により、透明平板の前面の中心が凸になるため、スクリーン部材や保護部材の弛みや皺が目立たないようになり、スクリーンパネルに書き込む際に凹まないようになる。
【００２４】
また、本発明のスクリーンパネルは、画像表示用の投射光を背面で受光する透明平板と、前記透明平板から透過した投射光を拡散させて画像を表示するスクリーン部材と、前記スクリーン部材を保護する保護部材を備え、前記スクリーン部材が、前記透明平板の前面と接触する面に前記投射光を拡散させる凹凸形状を有し、前記透明平板の前面と接着されて固定されており、前記保護部材と前記スクリーン部材とを固定させるための固定箇所が、前記画像の投影範囲外に設けられている構成を有している。
この構成により、保護部材とスクリーン部材とを固定させるための固定箇所が画像の投影範囲外に設けられているため、投射光を拡散させるスクリーン部材の凹凸形状による光学的特性が損なわれず、視野角を狭めずにスクリーン部材の汚れや傷を防ぐことができる。
【００２５】
本発明の投影表示装置は、上記のスクリーンパネルと、前記画像表示用の投射光を前記透明平板の背面に投射する投射部とを備えた構成を有している。
この構成により、スクリーン部材と透明平板の前面と接触する全面に接着剤で固定したものと比較すれば、視野角を広く保ち視認性に優れた投影表示装置が提供できる。
【発明の効果】
【００２６】
以上のように本発明は、背面に投影されるスクリーンパネルにおいて、視野角を広く保ち視認性に優れたスクリーンパネルおよび投影表示装置を提供するものである。
【発明を実施するための最良の形態】
【００２７】
以下、本発明の実施の形態に係るスクリーンパネルおよび投影表示装置について、図面を用いて説明する。
【００２８】
図１は、本発明の実施の形態に係る投影表示装置の斜視図である。図１は、テーブル型の投影表示装置であるが、テーブルの表面にスクリーンパネル１０が設けられている。投影表示装置１００では、スクリーンパネル１０の表面にあるスクリーン部材にマーカーペン９などで書き込み可能となっている。図２は、図１の投影表示装置の断面図である。図２の投影表示装置１００の筺体１０１の中には、図示していないコンピュータから出力される映像をスクリーンパネル１０の書き込み面（前面）の反対の面である背面に、反射鏡１０４ａおよび反射鏡１０４ｂを介して画像表示用の投射光を投射するプロジェクタ１０２と、スクリーンパネル１０に書き込まれた画像を撮像するカメラ１０３とが設けられている。プロジェクタ１０２は、本発明の投射部を構成するものである。
【００２９】
（本発明の第１の実施の形態）
図３は、本発明の第１の実施の形態に係るスクリーンパネルの正面図である。図４は、図３のスクリーンパネルの断面図である。
【００３０】
図３に示したスクリーンパネルでは、無色透明な樹脂（アクリル等）やガラスなどの透明平板１１から透過した投射光を拡散させて画像を表示するフィルム状のスクリーン部材１２を透明平板１１に固定して取り付ける際、接着剤を用いずにスクリーン部材１２が透明平板１１の前面を覆うように接触するようにして、図３に示したスクリーンパネルの囲み線１３内で囲まれる投影範囲から外れた周囲で固定される。
【００３１】
図４（Ａ）は、図３のスクリーンパネルのＸ−Ｘ断面図である。図４（Ｂ）は、図４（Ａ）の○の中の拡大図である。図４（Ａ）に示したように見た目はスクリーン部材１２が透明平板１１に全面的に貼り付いているように見えるが、図４（Ｂ）に示したように、スクリーン部材１２は、投射光を拡散させる凹凸形状を有しており、凸部分と透明平板１１の表面の接触範囲はごく僅かであるため、スクリーン部材１２の表面の微小な凹凸による拡散（外部拡散）の光学的特性を保つことができる。
【００３２】
フィルム状のスクリーン部材１２と透明平板１１との固定方法においては、図３で示したように、スクリーン部材１２の皺や弛みがないように伸ばし、投影範囲から外れた周囲におけるスクリーン部材１２と透明平板１１とがネジ１４で固定される。
【００３３】
また、図５は、投影範囲外の周囲のスクリーン部材１２と透明平板１１とが、接着剤で塗布されて固定された図である。また、接着剤の塗布の他に両面テープの貼付で、投影範囲から外れた周囲におけるスクリーン部材１２と透明平板１１とが固定されてもよい。接着剤を用いた固定方法においては、ほぼ均等に固定力が分散するので、ネジ止めなどの場合のように一部に大きな力がかかって、フィルムが切れたりする可能性が低いという利点はある。接着箇所は、全面貼りの場合と異なり、光学的特性は要求されないので、色がついていても、不透明でもよい。
【００３４】
図６は、図４（Ｂ）で示したように凹凸が両面にあるスクリーン部材１２の変形例であり、スクリーン部材の片面にしか荒らし面がないスクリーン部材１２ａを、図３に示したスクリーンパネルに適用した場合の拡大断面図である。図６に示したように、凹凸のある荒らし面が表側（書き込み面側）にないので、汚れ難くホワイトボードマーカでの書き込みも可能となる場合がある。
【００３５】
以上説明したように、本発明の第１の実施の形態に係るスクリーンパネルは、透明平板１１とスクリーン部材１２とを固定させるための固定箇所が画像の投影範囲外に設けられているため、投射光を拡散させるスクリーン部材１２の凹凸形状による光学的特性が損なわれず、スクリーン部材１２と透明平板１１の前面と接触する全面に接着剤で固定したものと比較すれば、視野角を広く保ち視認性に優れたものになる。
【００３６】
（本発明の第２の実施の形態）
本発明の第２の実施の形態に係るスクリーンパネルは、本発明の第１の実施の形態に係るスクリーンパネルのスクリーン部材１２の全面を保護部材で覆う構成を有している。保護部材は、スクリーン部材１２の表面を傷や汚れから保護するものであり、フィルム状のもの等で構成されている。
【００３７】
図７は、スクリーン部材１２を保護部材１５で覆った場合の構成を示しており、スクリーン部材１２が保護部材１５で覆われたスクリーンパネルの断面の箇所を示す拡大断面図である。
【００３８】
図７（Ａ）に示すスクリーンパネルにおいては、保護部材１５とスクリーン部材１２との間およびスクリーン部材１２と透明平板１１との間両方が接着剤１６で固定されている。
【００３９】
図７（Ｂ）に示すスクリーンパネルは投影範囲において、保護部材１５とスクリーン部材１２との間が接着剤１６で固定されており、スクリーン部材１２と透明平板１１との間は接着されていない。
【００４０】
図７（Ｃ）に示すスクリーンパネルは投影範囲において、保護部材１５とスクリーン部材１２との間は接着剤などが介在しておらず、スクリーン部材１２と透明平板１１との間が接着剤１６で固定されている。
【００４１】
図７（Ｄ）に示すスクリーンパネルは投影範囲において、保護部材１５とスクリーン部材１２との間およびスクリーン部材１２と透明平板１１との間のどちらも接着されていない。
【００４２】
図７（Ｂ）、図７（Ｃ）、図７（Ｄ）に示すスクリーンパネルは、保護部材およびスクリーン部材１２の投影範囲から外れた周囲をネジ、鋲、接着などで固定すると共に、スクリーン部材の表面、裏面の何れかまたは何れも接着しないようにして視野角が狭まらないようにする。保護部材１５が、柔軟性のあるフィルム状の素材である場合には、保護部材１５の皺やたるみを伸ばしてから周囲を固定する。
【００４３】
次に、図７（Ａ）〜図７（Ｄ）に示すスクリーンパネルの光学的特性について図８および図９を参照して説明する。
【００４４】
図８は、図７（Ａ）〜図７（Ｄ）に示すスクリーンパネルの輝度ムラの特性を表す図である。図７（Ａ）に示すスクリーンパネルは、形態Ａ（従来のスクリーンパネル）に対応し、図７（Ｂ）に示すスクリーンパネルは、形態Ｂに対応し、図７（Ｃ）に示すスクリーンパネルは、形態Ｃに対応し、図７（Ｄ）に示すスクリーンパネルは、形態Ｄに対応している。
【００４５】
図８（Ａ）では、輝度（カンデラ毎平方メートル：ｃｄ／ｍ２）については、スクリーンパネルの中心から垂直方向となる位置でスクリーンパネルに全白投影された画像の測定を行い、スクリーンパネルの中央を測定したときの輝度、左隅を測定したときの輝度、右隅を測定したときの輝度それぞれの輝度値を示している。図８（Ａ）の対中央輝度比については、左隅の輝度値／中央の輝度値、右隅の輝度値／中央の輝度値の百分率を示している。
【００４６】
図８（Ｂ）は、左隅の対中央輝度比および右隅の対中央輝度比をグラフに示したものであるが、図８（Ｂ）に示すように、形態Ａ（従来のスクリーンパネル）の性能が最も悪く、形態Ｂ、形態Ｃ、形態Ｄの順で性能が良いことがわかる。
【００４７】
図９は、図７（Ａ）〜図７（Ｄ）に示すスクリーンパネルの視野角の特性を表す図である。形態Ａ〜形態Ｄのスクリーンパネルについては、図８で説明したものと同じである。
【００４８】
図９（Ａ）では、輝度（ｃｄ／ｍ２）については、スクリーンパネルに全白投影された画像の測定を行い、スクリーンパネルの中心から垂直方向となる位置となる中央正面で測定したときの輝度、その垂直方向から左４５°移動した位置で測定したときの輝度、その垂直方向から右４５°移動した位置で測定したときの輝度、それぞれの輝度値を示している。図９（Ａ）の対正面輝度比については、左４５°の輝度値／中央正面の輝度値、右４５°の輝度値／中央正面の輝度値の百分率を示している。
【００４９】
図９（Ｂ）は、左４５°の対正面輝度比および右４５°の対正面輝度比をグラフに示したものであるが、図９（Ｂ）に示すように、形態Ａ（従来のスクリーンパネル）の性能が最も悪く、形態Ｃ、形態Ｂ、形態Ｄの順で性能が良いことがわかる。
【００５０】
以上説明したように、本発明の第２の実施の形態に係るスクリーンパネルは、保護部材１５とスクリーン部材１２とを固定させるための固定箇所が画像の投影範囲外に設けられているため、投射光を拡散させるスクリーン部材１２の凹凸形状による光学的特性が損なわれず、視野角を狭めずにスクリーン部材の汚れや傷を防ぐことができる。
【００５１】
（本発明の第３の実施の形態）
本発明の第３の実施の形態に係るスクリーンパネルにおいては、本発明の第２の実施の形態に係るスクリーンパネルの側面側で、フィルム状の保護部材１５とスクリーン部材１２との間およびスクリーン部材１２と透明平板１１との間が接着剤で固定されている。
【００５２】
図１０（Ａ）は、本発明の第３の実施の形態に係るスクリーンパネルの角の断面図である。断面箇所は、図３のスクリーンパネルのＸ−Ｘ断面と同じである。図１０（Ｂ）は、図１０（Ａ）の○の中の拡大図である。図１０（Ａ）および図１０（Ｂ）に示すように、透明平板１１の側面で、保護部材１５とスクリーン部材１２との間およびスクリーン部材１２と透明平板１１との間両方が接着剤１６で固定されている。スクリーン部材１２や保護部材１５が、透明平板１１の側面部分で保持できるように直角に折れ、透明平板１１の側面と接触させるようにし、その側面を接着する。透明平板１１の側面部分だけで接着するようにせず、投影範囲に接着剤１６が塗布されない箇所であれば、接着範囲が表示面側に広がってもよい。そうすれば、より広い接着面積が得られるので、スクリーン部材１２や保護部材１５がずれたり外れたりする可能性が低くなる。
【００５３】
スクリーン部材１２や保護部材１５と透明平板１１との固定方法として、接着を例とって説明したが、側面からねじなどで止めてもよい。また、保護部材１５が無くスクリーン部材１２と透明平板１１とだけが固定されていてもよい。
【００５４】
以上説明したように、本発明の第３の実施の形態に係るスクリーンパネルは、スクリーン部材１２や保護部材１５の固定箇所が透明平板１１の側面側にあるため、投影範囲を大きくできる。また、スクリーン部材１２や保護部材１５の固定箇所を表示面側と側面側の両方とした場合は、固定箇所が透明平板１１の表示面側だけにある場合と比較して固定範囲を広くすることができるので、スクリーン部材１２や保護部材１５の固定がより確実になる。
【００５５】
（本発明の第４の実施の形態）
本発明の第４の実施の形態に係るスクリーンパネルは、本発明の第２の実施の形態に係るスクリーンパネルのスクリーン部材や保護部材の交換が容易な構成を有している。
【００５６】
図１１は、本発明の第４の実施の形態に係るスクリーンパネルの斜視図である。図１１では、接着によりフィルム状の保護部材１５やスクリーン部材１２を透明平板１１に固定する場合であって、保護部材１５やスクリーン部材１２を透明平板１１から剥がしやすいように、保護部材１５やスクリーン部材１２の４隅のすべてまたは一部を非接着部１２ｂとし、非接着部１２ｂに接着剤をつけずに浮かせておく。また、図１２に示すように、フィルム状の保護部材１５やスクリーン部材１２の一部を透明平板１１から突起させるようにしておいて、その突起部１２ｃをつかんで透明平板１１から剥がし始められるようにする。従って、ユーザは保護部材１５やスクリーン部材１２を容易に交換することができる。なお、突起部１２ｃは、折り返して透明平板１１に接触させるようにしてもよい。接着剤は、保護部材１５やスクリーン部材１２を透明平板１１から剥がしたときに、透明平板１１に残らないものを使用する。
【００５７】
接着によりフィルム状の保護部材１５やスクリーン部材１２を透明平板１１に固定する場合について説明したが、透明平板１１に保護部材１５やスクリーン部材１２がネジ止めされていてもよい。ネジ止めの場合はネジを外して保護部材１５やスクリーン部材１２を取り外し、別の保護部材１５やスクリーン部材１２に取り付けて交換すればよい。さらにネジ止めの場合は、スクリーン部材１２と保護部材１５を１つのネジで共締めにせずに、スクリーン部材１２を固定するためのネジと保護部材１５を固定するためのネジとを別のものとし、保護部材１５だけを取り外したとしても、スクリーン部材１２は弛まずに、透明平板１１に保持されているようにするとよい。
【００５８】
以上説明したように、本発明の第４の実施の形態に係るスクリーンパネルは、スクリーンパネルの表面に傷がついた場合には、スクリーンパネル全体を交換するのではなく、保護部材１５のみまたは、保護部材１５とスクリーン部材１２を交換するため、透明平板１１はそのまま使える。また、交換する部材は、輸送が容易なフィルム状のものが好ましい。
【００５９】
（本発明の第５の実施の形態）
保護部材１５やスクリーン部材１２を透明平板１１に固定するスクリーンパネルにおいては、保護部材１５に傷や汚れのある場合、通常、保護部材１５だけを交換する。傷が深い場合には保護部材１５およびスクリーン部材１２の両方を交換することがあっても、スクリーン部材１２のみを交換することはまずない。
【００６０】
そこで、保護部材１５を交換するときに、スクリーン部材１２が一緒に外れないようにする必要がある。スクリーン部材１２が外れないようにするには、透明平板１１とスクリーン部材１２とを固定する形態と、スクリーン部材１２と保護部材１５とを固定する形態とが異なるようにして、保護部材１５だけを交換したいときに、スクリーン部材１２が外れることを防ぐことができる。例えば、スクリーン部材１２は、透明平板１１に対して図５に示したように投影範囲から外れた周囲を接着剤で接着されており、保護部材１５は、図４に示したようにネジで投影範囲から外れた周囲が固定される。
【００６１】
また、スクリーン部材１２と保護部材１５とを固定する固定力が、透明平板１１とスクリーン部材１２とを固定する固定力より弱くなるようにする。図１３は、本発明の第５の実施の形態に係るスクリーンパネルの角の断面図であり、図１０（Ｂ）で示したスクリーンパネルの変形例である。例えば、図１３に示したようにスクリーン部材１２と保護部材１５が接着されている場合に、図中の接着１６Ａは接着１６Ｂよりも固定力が弱くなるように、接着１６Ａは接着１６Ｂよりも、接着力の弱い接着剤１６を使ったり、接着面積を狭くしたりする。保護部材１５だけを剥ぎたいときに、スクリーン部材１２が透明平板１１に対して外れる可能性が低くなる。
【００６２】
保護部材１５を剥がすときのストレスが、スクリーン部材１２と透明平板１１との接着箇所に加わらないように、スクリーン部材１２と透明平板１１との接着箇所が、スクリーン部材１２と保護部材１５との接着箇所に積み重ならないようにする。例えば、図１４（Ａ）は、スクリーン部材１２と保護部材１５との接着箇所に積み重ならないスクリーンパネルの断面図である。断面箇所は、図３のスクリーンパネルのＸ−Ｘ断面と同じである。図１４（Ｂ）は、図１４（Ａ）の○の中の拡大図である。図１４（Ｂ）では、スクリーン部材１２と透明平板１１とが投影範囲外の周囲で接着され、保護部材１５と透明平板１１とが透明平板１１の側面で接着される。
【００６３】
以上説明したように、本発明の第５の実施の形態に係るスクリーンパネルは、スクリーン部材１２と透明平板１１とが接着剤で固定される固定箇所が透明平板１１の前面にあり、保護部材１５とスクリーン部材１２とが接着剤で固定される固定箇所が透明平板１１の側面にあるため、保護部材１５を剥がそうとする力が、スクリーン部材１２を剥がそうとする力として伝わらないので、保護部材１５だけを剥がしたいときに連動してスクリーン部材１２が剥がれてしまう可能性が小さくなる。
【００６４】
（本発明の第６の実施の形態）
本発明の第６の実施の形態に係るスクリーンパネルは、本発明の第１の実施の形態に係るスクリーンパネルのスクリーン部材に対して皺や弛みが生じないようにするための構成を有している。
【００６５】
図１５（Ａ）は、本発明の第６の実施の形態に係るスクリーンパネルの角の断面図である。断面箇所は、図３のスクリーンパネルのＸ−Ｘ断面と同じである。図１５（Ｂ）は、図１５（Ａ）の○の中の拡大図である。
【００６６】
図１５（Ｂ）に示すように、透明平板１１の側面側に板バネ部材１７が取り付けられている。スクリーン部材１２および板バネ部材１７は、ネジ１８とスペーサ１９とによって固定されている。なお、板バネ部材１７は、本発明の張力付加部を構成するものであり、透明平板１１の裏面側に板バネ部材１７が取り付けられていてもよい。板バネ部材１７に限定されず、スクリーン部材１２を透明平板１１の前面と平行な方向に引っ張る張力付加手段であればよい。
【００６７】
板バネ部材１７は、透明平板１１側に撓ませた状態で取り付けられているため、スクリーン部材１２を図中の矢印の方向に引っ張る張力を発生させるものである。板バネ部材１７は、透明平板１１よりの書き込み面より出っ張らないようにする。板バネ部材１７は、スクリーンパネル１０の矩形を構成する縦方向の一辺と横方向の一辺に設けられ、張力を発生させる。スペーサ１９は透明平板１１と一体でも、別部材でもよい。
【００６８】
以上説明したように、本発明の第６の実施の形態に係るスクリーンパネルは、透明平板１１の前面と平行方向にスクリーン部材１２を引っ張ることで、湿度や温度の影響でスクリーン部材１２が弛んだり皺になることを防ぐことができる。
【００６９】
（本発明の第７の実施の形態）
本発明の第７の実施の形態に係るスクリーンパネルは、本発明の第２の実施の形態に係るスクリーンパネルのスクリーン部材および保護部材に対して皺や弛みが生じないようにするための構成を有している。
【００７０】
図１６は、本発明の第７の実施の形態に係るスクリーンパネルの角の断面図である。図１６に示すスクリーンパネルでは、スクリーン部材１２と保護部材１５の両方に対して、図１５で示したものと同様に、板バネ部材１７により張力を与えている。
【００７１】
図１７は、図１６（Ｂ）に示したスクリーンパネルの変形例であり、スクリーン部材１２と保護部材１５の両方に対して皺や弛みが生じないようにするための構成を備えているが、スクリーン部材１２は、保護部材１５で保護されるので湿度などの影響を受けて、スクリーン部材１２の皺や弛みが生じないと考え、保護部材１５だけに張力を発生させる構成である。図１７に示したスクリーンパネルのほうが一枚の保護部材１５に張力を与えればよいため、スクリーン部材１２と保護部材１５の取り付けは容易である。
【００７２】
（本発明の第８の実施の形態）
本発明の第８の実施の形態に係るスクリーンパネルは、本発明の実施の形態に係るスクリーンパネルに対し、スクリーン部材１２や保護部材１５で覆われているスクリーンパネルを押さえるようにスクリーン枠を取り付けたものである。
【００７３】
図１８は、本発明の第８の実施の形態に係るスクリーンパネルとその保持部の正面図である。スクリーンパネル１０には、スクリーンパネル１０を押さえるようにスクリーン枠２１が取り付けられている。スクリーン枠２１は、投影範囲を囲むように設けられている。
【００７４】
図１９は、図１８のスクリーンパネルとその保持部の断面図である。図１９（Ａ）は、図１８のスクリーンパネルのＹ−Ｙ断面図である。図１９（Ｂ）は、図１９（Ａ）の○の中の拡大図である。
【００７５】
図１９（Ｂ）に示すように、スクリーンパネル受け部材２２は、スクリーンパネル１０の周辺を保持し、スクリーンパネル１０の前面をスクリーン枠２１で押さえられている。透明平板１１に対し、スクリーン部材１２や保護部材１５がずれて弛んだりしないように、スクリーン枠２１の内側に滑り止め部材２３で固定されている。滑り止め部材２３は、薄いゴムの板のように摩擦の大きな素材や、小さな棘の有る素材やギザつきのある部品などである。なお、本発明のスクリーンパネル保持装置（スクリーンユニット）を、スクリーンパネル１０およびその保持部を備えたものとして説明しているが、これに限定することはない。
【００７６】
以上説明したように、本発明の第８の実施の形態に係るスクリーンパネル保持部（方法）は、スクリーン枠２１およびスクリーンパネル受け部材２２、さらに加えた滑り止め部材２３でも、透明平板１１とスクリーン部材１２や保護部材１５とが固定されているため、透明平板１１とスクリーン部材１２や保護部材１５とを固定するための接着は弱くて済む。従って、保護部材１５を交換する際には、交換作業が容易となる。
【００７７】
（本発明の第９の実施の形態）
本発明の第９の実施の形態では、本発明の第８の実施の形態を変形して平板のスクリーンパネルの書き込み面側の中心が中心の周辺よりも僅かに凸になるようにした構成を有している。
【００７８】
図１９（Ｂ）に示したように、スクリーンパネル受け部材２２は、スクリーンパネル１０の裏面の周辺部を、平面で受けるのではなく、書き込み面の中心が凸になるようにスクリーンパネルを反らせるように、４隅に荷重をかけて保持することで、スクリーンパネルは観視側から見て中心が僅かに出っ張る。こうすれば、スクリーン部材１２や保護部材１５の弛みや皺が目立たないようになる。
【００７９】
図２０は、本発明の第９の実施の形態に係るスクリーンパネル受け部材の正面図である。スクリーンパネル受け部材２２の、スクリーンパネルが当てつけられる面の各辺の中央には凸部２４を設ける。
【００８０】
図２１は、スクリーンパネルとその保持部の断面図である（位置は図２０のＺ−Ｚに当たる）。凸部２４は、スクリーンパネル受け部材２２の面とスクリーンパネル１０の受け面に設けられており、スクリーンパネル１０の４隅をスクリーンパネル受け部材２２側に押し当てられて保持されるので、平板のスクリーンパネルの中心が周辺よりも出っ張る。
【００８１】
以上説明したように、本発明の第９の実施の形態に係るスクリーンパネル保持部（方法）では、平板のスクリーンパネルの書き込み面側の中心が中心の周辺よりも僅かに出っ張るため、スクリーン部材１２や保護部材１５の弛みや皺が目立たないようになり、スクリーンパネルに書き込む際にスクリーンパネル１０が凹まないようになる。
【００８２】
なお、図１および図２に本発明の実施の形態に係るテーブル型の投影表示装置を示したが、テーブル型のものに限定することはなく、図２２に示す投影表示装置でもよい。図２２は、本発明の実施の形態に係る投影表示装置の斜視図である。図２３は、図２２の投影表示装置の断面図である。投影表示装置２００の筺体２０１の中には、図示していないコンピュータから出力される映像をスクリーンパネル１０の書き込み面と反対面に、反射鏡１０４ｃを介して投影表示するプロジェクタ１０２と、スクリーンパネル１０に書き込まれた画像を撮像するカメラ１０３とが設けられている。
【００８３】
以上、本発明の実施の形態に基づき本発明についての説明を行ってきたが、上述した本発明の実施の形態で説明した形状、その他の要素との組合わせなどの要件に本発明が限定されるものでは決してない。これらの点に関しては、本発明の主旨をそこなわない範囲で変更することが可能であり、その応用形態に応じて適切に定めることができる。
【図面の簡単な説明】
【００８４】
【図１】本発明の実施の形態に係る投影表示装置の斜視図
【図２】本発明の実施の形態に係る投影表示装置の側面図
【図３】本発明の第１の実施の形態に係るスクリーンパネルの正面図
【図４】本発明の第１の実施の形態に係るスクリーンパネルの断面図
【図５】投影範囲外の周囲のスクリーン部材と透明平板とが、接着剤で塗布されて固定された図
【図６】スクリーン部材の片面にしか荒らし面がないスクリーン部材をスクリーンパネルに適用した場合の断面図
【図７】スクリーン部材を保護部材で覆う構成を示す断面図
【図８】図７に示すスクリーンパネルの輝度ムラの特性を表す図
【図９】図７に示すスクリーンパネルの視野角の特性を表す図
【図１０】本発明の第３の実施の形態に係るスクリーンパネルの角の断面図
【図１１】本発明の第４の実施の形態に係るスクリーンパネルの斜視図
【図１２】保護部材やスクリーン部材に突起部を設けたときの図
【図１３】本発明の第５の実施の形態に係るスクリーンパネルの角の断面図
【図１４】スクリーン部材と保護部材との接着箇所に積み重ならないスクリーンパネルの断面図
【図１５】本発明の第６の実施の形態に係るスクリーンパネルの角の断面図
【図１６】本発明の第７の実施の形態に係るスクリーンパネルの角の断面図
【図１７】図１６に示したスクリーンパネルの変形例を示す図
【図１８】本発明の第８の実施の形態に係るスクリーンパネルとその保持部の正面図
【図１９】図１８のスクリーンパネルとその保持部の断面図
【図２０】本発明の第９の実施の形態に係るスクリーンパネル受け部材（受け部材）の正面図
【図２１】本発明の第９の実施の形態に係るスクリーンパネルとその保持部の断面図
【図２２】本発明の実施の形態に係る投影表示装置の斜視図
【図２３】図２２の投影表示装置の断面図
【図２４】従来のスクリーンパネルの断面図
【図２５】スクリーン部材に入射した光が拡散する様子を示す図
【符号の説明】
【００８５】
９  マーカーペン
１０  スクリーンパネル
１１  透明平板
１２  スクリーン部材
１２ｂ  非接着部
１２ｃ  突起部
１３  囲み線
１４、１８  ネジ
１５  保護部材
１６  接着剤
１７  板バネ部材（張力付加部）
１９  スペーサ
２１  スクリーン枠
２２  スクリーンパネル受け部材（受け部材）
２３  滑り止め部材
１００、２００  投影表示装置
１０１、２０１  筺体
１０２  プロジェクタ（投射部）
１０３  カメラ
１０４  反射鏡
【図１】
2009223185.tif 000003
【図２】
2009223185.tif 000004
【図３】
2009223185.tif 000005
【図４】
2009223185.tif 000006
【図５】
2009223185.tif 000007
【図６】
2009223185.tif 000008
【図７】
2009223185.tif 000009
【図８】
2009223185.tif 000010
【図９】
2009223185.tif 000011
【図１０】
2009223185.tif 000012
【図１１】
2009223185.tif 000013
【図１２】
2009223185.tif 000014
【図１３】
2009223185.tif 000015
【図１４】
2009223185.tif 000016
【図１５】
2009223185.tif 000017
【図１６】
2009223185.tif 000018
【図１７】
2009223185.tif 000019
【図１８】
2009223185.tif 000020
【図１９】
2009223185.tif 000021
【図２０】
2009223185.tif 000022
【図２１】
2009223185.tif 000023
【図２２】
2009223185.tif 000024
【図２３】
2009223185.tif 000025
【図２４】
2009223185.tif 000026
【図２５】
2009223185.tif 000027